(57)【要約】【課題】  連結部の耐久性を向上させることができ、連結部内を通る導体の健全性や、筐体の開閉動作の良好性を長期にわたって維持することができる電子機器を提供すること。また、導体および軸体を連結部内へと組み込む作業を容易なものとすることができる電子機器を提供すること。【解決手段】  重ね合わせ可能な２つの筐体１０，２０が、連結部４によって、厚さ方向Ｄに直交する回転軸線Ｌを中心として互いに開閉可能に連結された電子機器１において、前記連結部４が、前記回転軸線Ｌを共通の中心軸線として前記２つの筐体１０，２０のそれぞれに設けられた挿通孔２８，２９，３８，３９と、筒状の軸体４１と、を備え、前記軸体４１の周壁部に被嵌合部４８，５２が設けられ、挿通方向外側の筐体２０には、前記挿通孔２８，３８より内部側に、前記被嵌合部４８，５２に嵌合する嵌合部６１，６５が設けられていることを特徴とする。【選択図】        図８
2006210695.tif 000002
【特許請求の範囲】
【請求項１】
厚さ方向に互いに重ね合わせ可能な２つの筐体と、これら２つの筐体を、前記厚さ方向に交わる回転軸線を中心として互いに開閉可能に連結する連結部と、を有する電子機器において、
前記連結部が、前記回転軸線を共通の中心軸線として前記２つの筐体のそれぞれに設けられた挿通孔と、これら挿通孔にわたって挿通された筒状の軸体と、を備え、
前記軸体の周壁部に被嵌合部が設けられ、
挿通方向外側の筐体には、前記挿通孔より内部側に、前記被嵌合部と嵌合する嵌合部が設けられていることを特徴とする電子機器。
【請求項２】
前記被嵌合部が、前記厚さ方向に向けられた凹部または貫通孔であって、
前記嵌合部が、前記厚さ方向に突出する突起であることを特徴とする請求項１に記載の電子機器。
【請求項３】
前記被嵌合部が、前記厚さ方向に延びる同一直線上であって、互いに前記軸体の筒孔を挟んで設けられた第１の被嵌合部および第２の被嵌合部とを備えるとともに、
前記嵌合部が、前記第１の被嵌合部に嵌合する第１の嵌合部と、前記第２の被嵌合部に嵌合する第２の嵌合部と、を備えることを特徴とする請求項１または請求項２に記載の電子機器。
【請求項４】
前記第１の嵌合部と前記第１の被嵌合部との嵌合寸法と、前記第２の嵌合部と前記第２の被嵌合部との嵌合寸法とが異なるように設定されていることを特徴とする請求項１から請求項３のいずれか一項に記載の電子機器。
【請求項５】
前記軸体が、この軸体を前記挿通孔に挿通する際に、前記回転軸線を中心として回転する前記軸体の前記挿通孔に対する回転位置を決める回転位置決め手段を備えることを特徴とする請求項１から請求項４のいずれか一項に記載の電子機器。
【請求項６】
前記回転位置決め手段が、前記挿通孔の内壁または前記軸体の外壁のいずれか一方に設けられ、前記軸体の挿通する方向に延びる長溝と、いずれか他方に設けられ、前記長溝に嵌合する突出部と、を備えることを特徴とする請求項１から請求項５のいずれか一項に記載の電子機器。
【発明の詳細な説明】
【技術分野】
【０００１】
本発明は、携帯電話機やＰＤＡ（Personal digital Assistants ）等の電子機器に関するものである。
【背景技術】
【０００２】
従来より、電子機器として、表示部を備えた第１の筐体と、操作キーを備えた第２の筐体とが、連結部によって、それら筐体の厚さ方向に直交する回転軸線を中心として互いに開閉可能に連結された、いわゆる折り畳み式のものがある（例えば、特許文献１，特許文献２参照）。これら電子機器には、連結部内に回転軸線に沿った軸体が取り付けられたものが周知となっている。そして、このような折り畳み式の電子機器では、第１の筐体および第２の筐体にそれぞれ設けられた回路基板同士を接続するために、連結部に導体を通す必要がある。また、電子機器の小型化・軽量化の要請に応じて、軸体の長さ寸法も短く設定されているのが一般的である。
【特許文献１】特開２００２−３１４６５９号公報
【特許文献２】特開２００４−２０７４４６号公報
【発明の開示】
【発明が解決しようとする課題】
【０００３】
しかしながら、上記のような電子機器では、第１の筐体と第２の筐体との開閉動作に伴って、軸体がズレたり外れたりしてしまい、連結部の連結強度が低下するという問題がある。そのため、軸体のズレによって連結部内の導体が損傷し、導体の健全性や電子機器の機能が損なわれるおそれがあるだけでなく、第１の筐体と第２の筐体とのスムーズな開閉動作が阻害されてしまう。さらに、軸体が短小であるため、連結部内に導体を通してさらに軸体を組み込む作業が困難になってしまう。
【０００４】
本発明は、このような問題点を解決するためになされたもので、連結部の耐久性を向上させることができ、連結部内を通る導体の健全性や、筐体の開閉動作の良好性を長期にわたって維持することができる電子機器を提供することを目的としている。
また、導体および軸体を連結部内へと組み込む作業を容易なものとすることができる電子機器を提供することを目的としている。
【課題を解決するための手段】
【０００５】
上記課題を解決するために、本発明は以下の手段を提供する。
本発明は、厚さ方向に互いに重ね合わせ可能な２つの筐体と、これら２つの筐体を、前記厚さ方向に交わる回転軸線を中心として互いに開閉可能に連結する連結部と、を有する電子機器において、前記連結部が、前記回転軸線を共通の中心軸線として前記２つの筐体のそれぞれに設けられた挿通孔と、これら挿通孔にわたって挿通された筒状の軸体と、を備え、前記軸体の周壁部に被嵌合部が設けられ、挿通方向外側の筐体には、前記挿通孔より内部側に、前記被嵌合部と嵌合する嵌合部が設けられていることを特徴とする。
【０００６】
また、本発明は、前記被嵌合部が、前記厚さ方向に向けられた凹部または貫通孔であって、前記嵌合部が、前記厚さ方向に突出する突起であることを特徴とする。
【０００７】
また、本発明は、前記被嵌合部が、前記厚さ方向に延びる同一直線上であって、互いに前記軸体の筒孔を挟んで設けられた第１の被嵌合部および第２の被嵌合部とを備えるとともに、前記嵌合部が、前記第１の被嵌合部に嵌合する第１の嵌合部と、前記第２の被嵌合部に嵌合する第２の嵌合部と、を備えることを特徴とする。
【０００８】
また、本発明は、前記第１の嵌合部と前記第１の被嵌合部との嵌合寸法と、前記第２の嵌合部と前記第２の被嵌合部との嵌合寸法とが異なるように設定されていることを特徴とする。
【０００９】
また、本発明は、前記軸体が、この軸体を前記挿通孔に挿通する際に、前記回転軸線を中心として回転する前記軸体の前記挿通孔に対する回転位置を決める回転位置決め手段を備えることを特徴とする。
【００１０】
また、本発明は、前記回転位置決め手段が、前記挿通孔の内壁または前記軸体の外壁のいずれか一方に設けられ、前記軸体の挿通する方向に延びる長溝と、いずれか他方に設けられ、前記長溝に嵌合する突出部と、を備えることを特徴とする。
【発明の効果】
【００１１】
以上のように、本発明によれば、筐体に設けられた嵌合部と、軸体に設けられた被嵌合部とを嵌合させることによって、軸体をしっかりと固定することができ、そのため連結部の耐久性を向上させることができるだけでなく、導体の組み込み時においても、導体が不意に外れ落ちることがないため、その組み込み作業を容易にすることができる。
【発明を実施するための最良の形態】
【００１２】
（実施例）
以下、本発明の実施例における電子機器について、図面を参照して説明する。
図１は、本発明を携帯電話機に適用した場合の例を示す図であって、符号１は携帯電話機を示している。
この携帯電話機１は、第１の筐体１０および第２の筐体２０が、連結部４により回転軸線Ｌを中心として互いに開閉可能に連結された折り畳み式のものである。
第１の筐体１０および第２の筐体２０は略直方体形状とされており、その四隅はＲ状に面取りされている。
第１の筐体１０は、表示側フロントケース１０ａと表示側リアケース１０ｂとが重ね合わされて構成され、同様にして、第２の筐体２０も、操作側フロントケース２０ａと操作側リアケース２０ｂとが重ね合わされて構成されている。
【００１３】
表示側フロントケース１０ａの表面には、ＬＣＤ等の表示部５およびスピーカ６が設けられている。そして、第１の筐体１０には、表示部５の各種制御を行う表示制御部１５を有する表示側基板１６が設けられている。
また、操作側フロントケース２０ａの表面には、テンキー等の各種操作キー８およびマイク９が設けられている。そして、第２の筐体２０には、操作キー８からの操作信号が入力されて各種処理を行う操作制御部２２を有する操作側基板２３が設けられている。
なお、表示制御部１５と操作制御部２２とは、図８に示すケーブル６７を介して電気的に接続されている。
【００１４】
また、上記連結部４は、表示側フロントケース１０ａの長さ方向Ｈの一端に設けられ、第１の筐体１０の厚さ方向Ｄに向けて突出する連結突出部２５を備えている。連結突出部２５は、表示側フロントケース１０ａの表面の延在する方向であって、かつ長さ方向Ｈに直交する幅方向Ｗに向けて延ばされており、その内部には、図２に示すように、空洞部２６が設けられている。空洞部２６の長さ方向の両端に配される側壁部１４には、第１開口部２８および第２開口部２９が形成されている。これら第１開口部２８および第２開口部２９は、空洞部２６内において、回転軸線Ｌ上に対向して配置されている。
【００１５】
さらに、連結部４は、第２の筐体２０の長さ方向の一端であって、かつ幅方向Ｗの両端に設けられた第１連結凸部３３および第２連結凸部３４を備えている。これら第１連結凸部３３および第２連結凸部３４の間には、回転軸線Ｌ上に延びる連結凹部３１が設けられている。また、第１連結凸部３３および第２連結凸部３４には、それぞれ第１連結挿通孔３８および第２連結挿通孔３９が設けられており、これら第１連結挿通孔３８および第２連結挿通孔３９は、回転軸線Ｌ上に対向して配置されている。
【００１６】
そして、このような第１の筐体１０と第２の筐体２０とが、厚さ方向Ｄに互いに重ね合わされ、連結突出部２５が連結凹部３１に嵌合して構成されている。連結突出部２５を連結凹部３１に嵌合させることにより、図１に示すように、第１開口部２８と第１連結挿通孔３８とが隣接して配置され、第２開口部２９と第２連結挿通孔３９とが隣接して配置されている。そして、これら第１、第２の開口部２８，２９および第１、第２の連結挿通孔３８，３９が、回転軸線Ｌを共通の中心軸線として同心上に配置されている。さらに、隣接して配置された第１開口部２８と第１連結挿通孔３８とにわたって、筒状に延びる軸体４１が挿通されるようになっており、第２開口部２９と第２連結挿通孔３９とにわたって、柱状に延びる連結棒状部材４２が挿通されるようになっている。
【００１７】
さらに、本実施例における軸体４１は、例えば、摺動性に優れたポリアセタール等の樹脂からなっており、図３（ａ）から（ｃ）に示すように、細径の内筒部４４と、この内筒部４４の長さ方向の一端に配された大径の外筒部４５とが一体的に設けられて構成されている。内筒部４４の他端は、先端部４３が漸次細くなるように周壁部４７の一部が切り欠かれており、凸形状をなしている。その切り欠き部分には、略Ｒ状をなすＲ切欠部７０が形成されている。そして、先端部４３の周壁部４７には、厚さ方向Ｄに向けられた貫通孔（被嵌合部）４８が形成されており、周壁部４７の外壁４９には凹部（被嵌合部）５２が形成されている。これら貫通孔４８および凹部５２は、互いに筒孔５１を挟んで配され、回転軸線Ｌを通って厚さ方向Ｄに延びる同一直線上に配置されている。また、外壁４９には、互いに筒孔５１を挟んで配され、本実施例においては、厚さ方向Ｄに直交する方向に向けて外方に突出する突出部５５ａ，５５ｂが形成されている。これら突出部５５ａ，５５ｂは、軸体４１の長さ方向に向けて延ばされている。
【００１８】
また、外筒部４５の周壁には、把持孔５９が形成されており、さらに外筒部４５の一端には、その全周にわたってフランジ部５６が形成されている。外筒部４５の端面には、その中央に筒孔開口部５４が形成されており、この筒孔開口部５４の近傍には、筒孔５１に沿って、軸体４１の長さ方向に延びる溝部４６が形成されている。この溝部４６は、軸体４１の製造時におけるヒケ対策用の肉抜きとして設けられたものであり、軸体４１の長さ方向に沿って貫通させてもよい。
また、筒孔開口部５４の縁部には、面取り部５８が形成されている。この面取り部５８は、筒孔５１にケーブル６７を挿通したときに、ケーブル６７に損傷を与えるのを防止するためのものであり、ケーブル６７を保護するために設けられたものである。
このような構成のもと、第１の筐体１０と第２の筐体２０とを重ね合わせ、隣接配置された第１開口部２８と第１連結挿通孔３８とにわたって軸体４１を挿通することにより、軸体４１が回転軸線Ｌ上に配され、第１の筐体１０と第２の筐体２０とが回転軸線Ｌを中心として互いに開閉可能に連結されるようになっている。
【００１９】
さらに、本実施例における第１連結挿通孔３８の内壁３８ａには、図２に示すように、長さ方向Ｈに向けられて、回転軸線Ｌを挟んで対向配置された長溝６３ａ，６３ｂが形成されている。長溝６３ａ，６３ｂは、回転軸線Ｌに沿って延ばされており、軸体４１に設けられた突出部５５ａ，５５ｂがそれぞれ嵌合するようになっている。
また、本実施における操作側フロントケース２０ａの裏面には、図４に示すように、操作側リアケース２０ｂ側に向けて突出するフロント突起部６１が設けられている。フロント突起部６１は、第１連結挿通孔３８の内部側であって第１連結挿通孔３８に隣接して設けられており、軸体４１が第１連結挿通孔３８に挿通されると、軸体４１に設けられた凹部５２に嵌合するようになっている。また、フロント突起部６１は、第１連結挿通孔３８に向けて傾斜して配されたテーパー部６２と一体的に形成されている。
【００２０】
さらに、図５に示すように、操作側リアケース２０ｂの裏面には、操作側フロントケース２０ａに向けて突出するリア突起部６５が設けられている。リア突起部６５は、第１連結挿通孔３８の内部側であって第１連結挿通孔３８に隣接して設けられており、軸体４１が第１連結挿通孔３８に挿通されると、軸体４１に設けられた貫通孔４８に嵌合するようになっている。
そして、図４に示すフロント突起部６１の突出寸法は、リア突起部６５の突出寸法より短く設定されている。
【００２１】
次に、このような構成のもと、連結部４内に軸体４１を組み込む作業について以下に説明する。
まず、操作側フロントケース２０ａを把持し、図１に示す操作側基板２３に接続されたケーブル６７の先端を、第１連結凸部３３から連結凹部３１に向けて第１連結挿通孔３８内に挿入する。それから、図２に示すように、操作側フロントケース２０ａの表面に表示側フロントケース１０ａを重ね合わせる。すると、連結突出部２５が連結凹部３１に嵌合し、そのため、第１開口部２８と第１連結挿通孔３８とが隣接するとともに、第２開口部２９と第２連結挿通孔３９とが隣接する。このとき、第１、第２の開口部２８，２９および第１、第２の連結挿通孔３８，３９が、回転軸線Ｌを共通の中心軸線として同心状に配される。
【００２２】
そして、第１連結挿通孔３８内に挿入されたケーブル６７を、第１開口部２８を介して外方に引っ張り出す。この引っ張り出したケーブル６７の先端を、軸体４１の筒孔５１に先端部４３側から挿通させる。そして、ケーブル６７に沿って軸体４１を送り込んでいく。それから、図３（ｂ）に示すように、ピンセット６８を把持孔５９に挿通することによって、軸体４１を把持しながら、第１開口部２８に内筒部４４の先端部４３を挿入する。このとき、突出部５５ａと長溝６３ａとを嵌合させ、また突出部５５ｂと長溝６３ｂとを嵌合させる。そして、突出部５５ａ，５５ｂを長溝６３ａ，６３ｂに対してスライドさせながら、軸体４１を押し込んで挿通させていく。すると、図６に示すように、先端部４３が、テーパー部６２によって、全体に縮径するように漸次弾性変形させられ、軸体４１をさらに押し込んでいくと、フロント突起部６１が凹部５２に一致する位置に配されるため、弾性変形した先端部４３が復元してフロント突起部６１が凹部５２に嵌合される。
【００２３】
このとき、フロント突起部６１の突出寸法は短く設定されているので、フロント突起部６１が凹部５２に嵌合する嵌合寸法は短くなる。つまり、フロント突起部６１は、凹部５２に浅く嵌合する。そのため、フロント突起部６１と凹部５２との嵌合は解除し易くなっており、ここでは、軸体４１を再度抜き差しすることを想定した仮固定として機能する。
また、このとき、先端部４３のうち、凹部５２と回転軸線Ｌを挟んだ反対側には、貫通孔４８が露出した状態となる。さらに、操作側フロントケース２０ａの面取りされたＲ状の壁部にＲ切欠部７０が当接されるとともに、図７に示すように、フランジ部５６が側壁部１４に当接される。これにより、軸体４１の回転軸線Ｌ上の位置が確実に位置決めされる。
なお、ここで、挿通方向とは、空洞部２６から第１開口部２８を経て第１連結挿通孔３８内に軸体４１を挿通するときの方向をいう。また、挿通方向外側の筐体とは、図８に示すように、第１開口部２８を有する第１の筐体１０と、第１連結挿通孔３８とを有する第２の筐体２０とのうち、軸体４１が挿通された挿通方向の先側に配された筐体をいうものであり、ここでは、第２の筐体２０を指す。
また、図６において、ケーブル６７の図示を省略しているが、実際には筒孔５１にケーブル６７が挿通されているのは言うまでもない。
【００２４】
このように軸体４１を仮固定した状態で、操作側基板２３などの各種部品を挟んで操作側フロントケース２０ａと操作側リアケース２０ｂとを重ね合わせて固定する。これにより、第２の筐体２０が形成される。このとき、操作側リアケース２０ｂにはリア突起部６５が形成されていることから、図８に示すように、露出した貫通孔４８にリア突起部６５が嵌合する。リア突起部６５の突出寸法は、フロント突起部６１の突出寸法より長く設定されていることから、リア突起部６５と貫通孔４８との嵌合寸法は長くなる。つまり、リア突起部６５は、貫通孔４８に深く嵌合する。これによって、軸体４１が確実に固定され、軸体４１の組み込み作業が終了する。
【００２５】
なお、この後は、第２の筐体２０の外方に延びるケーブル６７の一端を表示側基板１６に接続し、隣接した第２開口部２９と第２連結挿通孔３９とにわたって連結棒状部材４２を挿通する。さらに、表示側基板１６などの各種部品を挟んで表示側フロントケース１０ａと表示側リアケース１０ｂとを重ね合わせて固定する。これにより、第１の筐体１０が形成され、携帯電話機１が組み立てられる。
【００２６】
次に、このように構成された本実施例に係る携帯電話機１における作用について、以下に説明する。
まず、携帯電話機１を携行する場合には、第１の筐体１０と第２の筐体２０とを相互に閉じた状態に配する。これにより寸法的にコンパクトとなり携行に適したサイズとなる。一方、このように第１の筐体１０と第２の筐体２０とが互いに閉じられた状態から、例えば電話をかける場合には、両筐体１０，２０を相互に開き、所定の操作キー８を押圧して表示部５に写し出される文字や画像を確認しながら、電話番号の登録された相手を選択し、または所定の電話番号を押下する。そして、スピーカ６を操作者の耳元に近づけ、マイク９を操作者の口元に近づけることにより通話を開始する。
【００２７】
ここで、上記のように、第１の筐体１０と第２の筐体２０とを互いに開閉させると、従来は、軸体４１がズレたり外れたりし易かったが、本実施例における携帯電話機１では、以下のようにして、それらズレなどが防止される。
すなわち、図８に示すように、厚さ方向Ｄに延びるフロント突起部６１が凹部５２に嵌合しており、さらに、厚さ方向Ｄに延びるリア突起部６５が貫通孔４８に嵌合していることから、軸体４１の幅方向Ｗへの動きが規制される。さらに、第１の筐体１０や第２の筐体２０が捻られたりすると、上記ズレなどを生じさせる力が軸体４１に作用する場合もあるが、フランジ部５６と側壁部１４とが当接するとともに、Ｒ切欠部７０と操作側フロントケース２０ａのＲ状の壁部とが当接することによって、その力に抗して軸体４１が支持され、元の姿勢が維持される。
【００２８】
以上より、本実施例における携帯電話機１においては、フロント突起部６１が凹部５２に嵌合されるとともに、リア突起部６５が貫通孔４８に嵌合されるため、連結部４内において軸体４１をしっかりと確実に固定することができ、連結部４の耐久性を向上させることができる。そのため、軸体４１のズレによって、ケーブル６７に損傷を与えるのを防止することができ、また第１の筐体１０と第２の筐体２０とのスムーズかつ適正な開閉動作が阻害されるのを防止することができる。つまり、連結部４内を通るケーブル６７の健全性や、第１の筐体１０と第２の筐体２０との開閉動作の良好性を長期にわたって維持することができる。
【００２９】
また、凹部５２と貫通孔４８とが、互いに回転軸線Ｌを挟んで、厚さ方向Ｄに延びる同一直線上に配されているため、軸体４１をバランスよく均等に支持することができ、これにより軸体４１のズレなどをより一層防止することができる。
また、フロント突起部６１が凹部５２に嵌合されることにより、筒孔５１にケーブル６７を挿通させた状態で、軸体４１を容易に固定することができるため、ケーブル６７および軸体４１の組み込み作業を容易に行うことができる。
【００３０】
さらに、フロント突起部６１の突出寸法を短く設定し、フロント突起部６１と凹部５２との嵌合を解除し易くすることによって、軸体４１の組み込み作業時における種々の状況に応じて、軸体４１の抜き差しを簡単に行うことができ、これにより、組み込み作業をより一層容易に行うことができる。
また、突出部５５ａ，５５ｂおよび長溝６３ａ，６３ｂを嵌合させることにより、第１開口部２８および第１連結挿通孔３８に軸体４１を挿通させるときに、第１開口部２８および第１連結挿通孔３８に対する軸体４１の回転軸線Ｌ周りの回転位置を容易に決めることができる。そのため、軸体４１を連結部４に組み込むときの利便性を向上させることができる。
【００３１】
なお、本実施例においては、嵌合部および被嵌合部として、フロント突起部６１やリア突起部６５など２組設けているが、これに限ることはなく、その設置数や設置場所は適宜変更可能である。
また、フロント突起部６１およびリア突起部６５の嵌合寸法が異なるものとしたが、これに限ることはなく、同一寸法であってもよい。但し、フロント突起部６１の嵌合寸法を短くした方が、軸体４１の組み込み時において、軸体４１の抜き差しが容易になって利便性が向上するのは上述した通りである。
【００３２】
また、凹部５２と貫通孔４８とを設けるとしたが、これに限ることはなく、いずれも凹部であったり、いずれも貫通孔であったりしてもよい。
さらに、突出部５５ａ，５５ｂを軸体４１に設け、長溝６３ａ，６３ｂを第１連結挿通孔３８の内壁３８ａに設けるとしたが、これに限ることはなく、それぞれ反対に設けるようにしてもよい。
また、ケーブル６７としたが、これに限ることはなく、フレキシブル配線基板などであってもよい。
また、本実施例では、携帯電話機１を例にとって説明したが、本発明は携帯電話機１に限定されるものではなく、ＰＤＡ等のような他の電子機器にも適用可能であることは勿論である。
さらに、本発明の技術範囲は上記の実施例に限定されるものではなく、本発明の趣旨を逸脱しない範囲において、種々の変更を加えることが可能である。
【図面の簡単な説明】
【００３３】
【図１】本発明に係る電子機器の実施例に係る折り畳み式の携帯電話機を示す斜視図である。
【図２】同実施例における操作側フロントケースと表示側フロントケースとを重ねる様子を示す説明図である。
【図３】同実施例における軸体を示す図であって、（ａ）は軸体を外筒部側から見たときの様子を示す斜視図、（ｂ）は軸体を先端部側から見たときの様子を示す斜視図、（ｃ）は軸体の側面図である。
【図４】同実施例における操作側フロントケースを裏面側から見たときの様子を示す図であって、第１連結凸部内の様子を示す斜視図である。
【図５】同実施例における操作側リアケースを裏面側から見たときの様子を示す図であって、第１連結凸部内の様子を示す斜視図である。
【図６】同実施例における軸体を、連結部内に組み付けた様子を示す図であって、操作側フロントケースの裏面側から見たときの様子を示す斜視図である。
【図７】図６の軸体を、表示側フロントケースの裏面側から見たときの様子を示す斜視図である。
【図８】第１の筐体と第２の筐体とを相互に閉じたときの様子を示す断面図である。
【符号の説明】
【００３４】
１    携帯電話機（電子機器）
４    連結部
１０  第１の筐体
２０  第２の筐体
２８  第１開口部（挿通孔）
２９  第２開口部（挿通孔）
３８  第１連結挿通孔（挿通孔）
３８ａ  内壁
３９  第２連結挿通孔（挿通孔）
４１  軸体
４７  周壁部
４８  貫通孔（被嵌合部）
４９  外壁
５１  筒孔
５２  凹部（被嵌合部）
５５ａ，５５ｂ  突出部（回転位置決め手段）
６３ａ，６３ｂ  長溝（回転位置決め手段）
６１  フロント突起部（突起）
６５  リア突起部（突起）
Ｄ    厚さ方向
Ｌ    回転軸線
【図１】
2006210695.tif 000003
【図２】
2006210695.tif 000004
【図３】
2006210695.tif 000005
【図４】
2006210695.tif 000006
【図５】
2006210695.tif 000007
【図６】
2006210695.tif 000008
【図７】
2006210695.tif 000009
【図８】
2006210695.tif 000010